(57)【要約】    【課題】  綴じ込むべきシートを保持するシート保持体の連結部を着脱可能に係止するロック部の強度を確保すると同時に、連結動作に伴ってロック部を解除動作させるガイド機能を向上させる。さらに過大な外力による変形でガイド機能が損なわれる不具合を確実に回避する。    【解決手段】  シート保持体の連結動作に伴って後退動作するガイド片４３を、シート保持体の連結軸２１を係止するロック片２６とは別に設け、ガイド片に連動してロック片がロック解除位置に後退するようにガイド片をロック片と一体化する。さらにロック片が連結軸を係止する連結状態で、連結軸の離脱力がガイド片に直接作用しないようにロック片に対するガイド片の相対位置を設定する。【選択図】    図５
2005153312.tif 000002
【特許請求の範囲】
【請求項１】
綴じ込むべきシートを保持するシート保持体の連結部を着脱可能に係止するべく、ロック位置とロック解除位置との間で進退可能なロック部をベース体に備えた綴じ具であって、
前記ロック部とは別に、前記シート保持体の連結動作に伴って後退動作するガイド部を有し、
このガイド部に連動して前記ロック部をロック解除位置に後退させるように、前記ガイド部が前記ロック部と一体に設けられると共に、連結状態で前記連結部を係止する前記ロック部に対して、前記ガイド部が前記連結部の離脱力が直接作用しない相対位置をもって配置されたことを特徴とする綴じ具。
【請求項２】
前記ロック部及びガイド部が、ロック位置に前進する向きにばね付勢され、
前記ガイド部が、前記シート保持体の係合部に押圧されることで当該ガイド部を後退動作させるように傾斜したガイド面を備えたことを特徴とする請求項１に記載の綴じ具。
【請求項３】
前記シート保持体が、一対の挟持部材からなり、その各々に設けられた前記連結部が、一方を取り外すことで他方を中心にして前記シート保持体を回動可能に支持する支軸となるように、前記ベース体の軸受け部に回動可能に保持されたことを特徴とする請求項１若しくは請求項２に記載の綴じ具。
【請求項４】
手指による押し込み操作で前記ロック部をロック解除位置に後退させる操作部が前記ベース体に設けられたことを特徴とする請求項１乃至請求項３のいずれかに記載の綴じ具。
【発明の詳細な説明】
【技術分野】
【０００１】
本発明は、多数のシートをまとめて綴じ込む綴じ具に関し、特にシートを保持するシート保持体の連結部を着脱可能に係止するロック部を備えた綴じ具に関するものである。
【背景技術】
【０００２】
シートに穿設されたパンチ孔にパイプを挿通して綴じ込む、いわゆるパイプ式ファイルでは、パイプを備えた挟持部材と、パイプ内に挿通されるロッドを備えた挟持部材とでシート保持体が構成され、シートの入れ替えの際に両挟持部材を互いに分離させる必要があるため、これらの挟持部材の少なくとも一方は、表紙パネルに固着されたベース体に対して着脱可能に連結される構成となっている。
【０００３】
この種の綴じ具においては、ベース体側に設けられた進退可能なロック部で挟持部材側の連結部を係止するようにしているが、挟持部材をベース体に連結する際に、挟持部材の連結動作に伴ってロック部がロック解除位置に後退動作するガイド機能を有する構成すると、連結操作が容易になり、使い勝手が良くなり、例えばベース体側のロック部に傾斜状のガイド面を形成してガイド機能を兼用させた構成のものが知られている（特許文献１・２参照。）。
【特許文献１】特開平８−１４２５６４号公報
【特許文献２】実公平７−４２７８６号公報
【発明の開示】
【発明が解決しようとする課題】
【０００４】
しかるに、ファイルの取り扱いの最中に加わる外力によって挟持部材がベース体から離脱する向きの力が生じると、その離脱力は集中的にロック部に作用するため、このような離脱力に対してロック部が塑性変形を起こすことがない高い強度がロック部に要求される。また、ガイド面の形態を工夫することで連結動作を円滑化してガイド機能を向上させることができる。
【０００５】
ところが、前記のようにロック部にガイド機能を兼用させた構成では、小型化の要請によるスペース上の制約から、ガイド機能を優先させると強度が低下し、逆に強度を高めてロック機能を向上させようとするとガイド機能が低下する不具合が生じ、限られた配置スペースで両方の機能を両立させることが難しい。
【０００６】
特に、強度不足によりロック部が塑性変形を起こすことがあると、ロック機能に大きな影響が出なくても、僅かな変形に影響されるガイド機能が損なわれて使用感が悪化する不具合が生じる。このようなガイド機能の低下は、ロック部の強度向上で改善されるが、これにも限界があり、確実に回避する構成が望まれる。
【０００７】
本発明は、このような従来技術の問題点を解消するべく案出されたものであり、その主な目的は、ロック部の強度を確保すると同時に高いガイド機能を実現することができるように構成された綴じ具を提供することにある。さらに本発明は、過大な外力による変形でガイド機能が損なわれる不具合を確実に回避することができる構成とすることも目的としている。
【課題を解決するための手段】
【０００８】
このような課題を解決するために、本発明においては、請求項１に示すとおり、綴じ込むべきシートを保持するシート保持体（２）の連結部（５４）を着脱可能に係止するべく、ロック位置とロック解除位置との間で進退可能なロック部（ロック片２６）をベース体（５）に備えた綴じ具において、前記ロック部とは別に、前記シート保持体の連結動作に伴って後退動作するガイド部（ガイド片４３）を有し、このガイド部に連動して前記ロック部をロック解除位置に後退させるように、前記ガイド部が前記ロック部と一体に設けられると共に、連結状態で前記連結部を係止する前記ロック部に対して、前記ガイド部が前記連結部の離脱力が直接作用しない相対位置をもって配置されたものとした。
【０００９】
これによると、ロック部及びガイド部を別々に設けて各々がロック機能及びガイド機能に特化されるため、ロック部及びガイド部をそれぞれ他方の機能に制約されることなく適切な形状に設計することができ、ロック部の強度を確保すると同時に高いガイド機能を実現することが可能になる。
【００１０】
しかも、過大な外力がロック部に作用する場合でも、その力がガイド部に直接作用しないため、ガイド部の変形によりガイド機能が損なわれる不具合を確実に回避することができる。
【００１１】
前記綴じ具においては、請求項２に示すとおり、前記ロック部及びガイド部が、ロック位置に前進する向きにばね付勢され、前記ガイド部が、前記シート保持体の係合部に押圧されることで当該ガイド部を後退動作させるように傾斜したガイド面を備えた構成をとることができる。これによると、押し込み操作のみでシート保持体をベース体に連結することができ、使い勝手が良くなる。しかも、ロック部の形状に関係なくガイド部を適切な形状に設定することができることから、ガイド面の傾斜角度を十分に大きく確保して円滑な連結動作を実現することができる。
【００１２】
前記綴じ具においては、請求項３に示すとおり、前記シート保持体が、一対の挟持部材からなり、その各々に設けられた前記連結部が、一方を取り外すことで他方を中心にして前記シート保持体を回動可能に支持する支軸となるように、前記ベース体の軸受け部に回動可能に保持された構成をとることができる。これによると、両開きファイルとなり、利便性が向上する。
【００１３】
前記綴じ具においては、請求項４に示すとおり、手指による押し込み操作で前記ロック部をロック解除位置に後退させる操作部が前記ベース体に設けられた構成をとることができる。これによると、シート保持体をベース体から取り外す際に手指で簡単にロック解除することができ、使い勝手が良くなる。
【００１４】
以上の構成においては、ロック部により係止される連結部とガイド部に当接する係合部とは互いに異なるものとなるが、これらを同一の軸部材で兼用する構成も可能である。この場合、ロック部により係止される連結部に対して軸線方向にずれた部分を、ガイド部に当接する係合部とすれば良い。また連結状態においてロック部を挟んで連結部と相反する側にガイド部を配置した構成とすれば、連結状態で連結部の離脱力がガイド部に直接作用しないものとすることができる。さらに連結操作の際にベース体の軸受け部内に進入しようとする軸部材に対してガイド部がロック部より手前側に位置し、ロック部に先だってガイド部が軸部材に当接する構成とすれば、軸部材がロック部に接触して連結動作の円滑性が損なわれる不具合を避けることができる。
【発明の効果】
【００１５】
このように本発明によれば、シート保持体の連結部を着脱可能に係止するロック部と、連結動作に伴ってロック部を解除動作させて連結操作を簡略化するためのガイド部とを別々に設け、各々をそれぞれロック機能及びガイド機能に特化するようにしたため、ロック部及びガイド部をそれぞれ他方の機能に制約されることなく適切な形状に設計することができ、ロック部の強度を確保すると同時に高いガイド機能を実現することが可能になる。さらに、過大な外力がロック部に作用する場合でも、その力がガイド部に直接作用しないため、ガイド部の変形でガイド機能が損なわれる不具合を確実に回避することができる。
【発明を実施するための最良の形態】
【００１６】
以下、本発明の実施の形態を、図面を参照しながら説明する。
【００１７】
図１は、本発明が適用されたファイルを示す斜視図である。このファイルは、表紙パネル１と、多数のシート（図示せず）を束ねた状態に保持するシート保持体２、並びに表紙パネル１の背部３の内面に固着されるベース体５からなる金属製の綴じ具６とを有している。
【００１８】
シート保持体２は、一対の挟持部材１１・１２からなっている。一方の挟持部材１１は、端板１４にパイプ１５が一対固着されたものであり、他方の挟持部材１２は、端板１７にロッド１８が一対固着されたものであり、綴じ込むべきシートに穿設されたパンチ孔にパイプ１５を挿通し、かつパイプ１５内にロッド１８を挿通して両挟持部材１１・１２を組み付けることにより、端板１４・１７間に多数のシートがまとめて挟み込まれる。
【００１９】
挟持部材１１・１２は、各々の端板１４・１７の側縁部に連結軸２１・２２を備え、この連結軸２１・２２は、ベース体５に設けられた軸受け部２３・２４に対して着脱可能に連結され、かつ回動可能に保持されるため、一方の連結を解除して他方を支軸にしてシート保持体２を回動させることで、挟持部材１１・１２の一方を取り外してシートの入れ替えを行うことができる、いわゆる両開き型の構成となっている。
【００２０】
挟持部材１１・１２における端板１４・１７は、１枚の金属製板材を所定形状に打ち抜き加工した後、所定形状に折り曲げ加工することで得られ、またパイプ１５及びロッド１８は、金属材料で成形されたものであり、所要の塑性加工で端板１４・１７に固着される。
【００２１】
ベース体５側の軸受け部２３・２４は、シート保持体２側の連結軸２１・２２を受容する溝形状断面をなし、その開放部を閉鎖する態様で突出するロック片（ロック部）２６で連結軸２１・２２を係止することで連結軸２１・２２を軸受け部２３・２４内に受容した状態に保持する。
【００２２】
図２は、図１に示したベース体を一部破断して示す上面図である。ベース体５は、クリップ８により表紙パネル１の背部３に対して固定される本体部材３１と、ロック片２６が設けられてロック位置とロック解除位置との間で進退可能な一対のロック部材３２と、このロック部材３２をロック位置に前進させる向きに常時ばね付勢する一対のばね部材３３とからなっている。
【００２３】
本体部材３１は、クリップ８が挿通される取付孔３４が設けられた取付部３５を縦方向の両側に備え、この取付部３５の間には、表紙パネル１の背部３との間にロック部材３２を収容する箱形状をなすロック部材収容部３７が形成されている（図１参照）。
【００２４】
ロック部材３２は、縦方向に延在する基部４１の長手方向の両端にロック片２６を一対備え、基部４１の長手方向の中心部分には、ロック片２６をロック解除位置に後退させるための操作部４２が設けられている。また操作部４２の両側には、シート保持体２の取付動作に伴ってロック部材３２を後退動作させるためのガイド片（ガイド部）４３が一対設けられている。
【００２５】
ばね部材３３は、板ばねであり、長手方向の両端部分が、本体部材３１のばね係合部４５に係止され、長手方向の中心部分が、ロック部材３２の長手方向の中心のばね係合部４６に当接して、ロック部材３２を前進方向に付勢する。
【００２６】
図３は、図１に示したベース体を分解して示す斜視図である。ロック部材３２のロック片２６は、平板状の基部４１の前端縁から延出され、断面形状がクランク状をなしている。操作部４２も、基部４１の前端縁から延出され、断面形状がコ字形状をなしている。操作部４２の後方には、本体部材３１のロック部材収容部３７の上壁内面に潜り込むように操作部４２から延出されて基部４１と平行に延在する平行部４８が形成されており、ガイド片４３は、この平行部４８から手前側に延出され、山形状断面をなしている。
【００２７】
表紙パネル１の取付面に対する距離を高さとすると、ガイド片４３は、先端側が低くなる傾斜した形状に形成され、挟持部材１１・１２側の連結軸２１・２２がガイド片４３の上面のガイド面４３ａに当接してこれを押圧することで、ロック部材３２が後退動作するようになっている。
【００２８】
ロック部材３２は、１枚の金属製板材を所定形状に打ち抜き加工した後、所定形状に折り曲げ加工することで得られ、ロック片２６、操作部４２並びにガイド片４３が基部４１の長手方向にずらして配置されているため、比較的単純な折り曲げ加工で済み、製造が容易である。
【００２９】
本体部材３１のロック部材収容部３７では、上壁６１から延出されて軸受け部２３・２４を構成する側壁６２の部分に、ロック部材３２のロック片２６が挿通される開口６３が形成されている。また、ロック部材３２の操作部４２を露出させる切り欠き６４が、上壁６１から側壁６２に至る部分に形成されている。さらにロック部材収容部３７内でロック部材３２が安定してスライド可能なにように、側壁６２から内向きに突片６６が延出されており、この突片６６と上壁６１との間にロック部材３２が保持される。
【００３０】
本体部材３１は、１枚の金属製板材を所定形状に打ち抜き加工した後、所定形状に折り曲げ加工することで得られる。
【００３１】
図４は、図１に示した綴じ具を示す側面図である。シート保持体２の連結軸２１は、ロック部材３２の操作部４２及びガイド片４３と干渉しないように長手方向の中心部で２つの軸部２１ａ・２１ｂに分断されており、各々の軸部２１ａ・２１ｂに対応して、ベース体の軸受け部２３が両側に一対設けられている。また挟持部材１１の端板１４も、ロック部材３２の操作部４２及びガイド片４３と干渉しないように凹部５１が形成されており、この凹部５１にて露出する操作部４２を手指で操作可能になっている。
【００３２】
軸部２１ａ・２１ｂはそれぞれ、一対の軸保持部５５間の部分が、ベース体５側の軸受け部２３内に受容されてロック片２６により係止される連結部５４となる。また、軸部２１ａ・２１ｂの内側の端部分が、ロック部材３２のガイド片４３に当接する係合部５３となる。表紙パネルの取付面Ａに対する距離を高さとすると、ガイド片４３はロック片２６より高い位置にあり、シート保持体２をベース体５に取り付ける際には、連結軸２１に対してガイド片４３がロック片２６より手前側に位置するため、ロック片２６に先だってガイド片４３が連結軸２１に当接する。
【００３３】
図５は、図１に示した綴じ具の要部を示す断面図である。挟持部材１１をベース体５に取り付ける際には、（Ａ）に示すように、ベース体５の軸受け部２３内に連結軸２１が進入するように挟持部材１１を押し込めば良い。これにより（Ｂ）に示すように、ガイド片４３の傾斜状のガイド面４３ａの作用により、ばね部材３３の付勢力に抗してロック部材３２が後退し、これに伴ってロック片２６がロック解除位置に移動する。
【００３４】
そして（Ｃ）に示すように、溝形状断面をなす軸受け部２３内に連結軸２１が受容され、さらにばね部材３３の復元力によりロック部材３２が前進してロック片２６がロック位置に移動する。この状態では、ロック片２６が連結軸２１の抜け出しを阻止し、ロック片２６を挟んで連結軸２１と相反する側にガイド片４３が位置するため、連結軸２１はガイド片４３に接触することがなく、連結軸２１の抜け出し力がガイド片４３に直接作用しない。
【００３５】
挟持部材１１をベース体５から取り外す際には、（Ｄ）に示すように、ばね部材３３の付勢力に抗してロック部材３２の操作部４２を手指で押し込めば良い。これにより、ロック部材３２が後退してロック片２６がロック解除位置に移動し、連結軸２１を軸受け部２３から抜き取ることができる。
【００３６】
なお図４及び図５では、連結軸２１及び軸受け部２３側について示したが、反対側の連結軸２２及び軸受け部２４側も同様である。
【産業上の利用可能性】
【００３７】
本発明にかかる綴じ具は、ロック部の強度を確保すると同時に高いガイド機能を実現し、さらに過大な外力でガイド機能が損なわれる不具合を確実に回避することができるため、耐久性に優れ、かつ使い勝手の良いものとなり、シートの入れ替えのためにシート保持体の連結・離脱の操作を頻繁に行うファイリング用具などの用途に有用である。
【図面の簡単な説明】
【００３８】
【図１】本発明が適用されたファイルを示す斜視図である。
【図２】図１に示したベース体を一部破断して示す上面図である。
【図３】図１に示したベース体を分解して示す斜視図である。
【図４】図１に示した綴じ具を示す側面図である。
【図５】図１に示した綴じ具の要部を示す断面図である。
【符号の説明】
【００３９】
１  表紙パネル
２  シート保持体
３  背部
５  ベース体
６  綴じ具
８  クリップ
１１・１２  挟持部材
２１・２２  連結軸
２３・２４  部
２６  ロック片（ロック部）
３２  ロック部材
３３  ばね部材
４２  操作部
４３  ガイド片（ガイド部）
４３ａ  ガイド面
５３  係合部
５４  連結部
Ａ  取付面
【図１】
2005153312.tif 000003
【図２】
2005153312.tif 000004
【図３】
2005153312.tif 000005
【図４】
2005153312.tif 000006
【図５】
2005153312.tif 000007